(57)【特許請求の範囲】
【請求項１】
複数枚のフエルト材を重ね合わせ、該フエルト材間の衣服として互いに一体化される部分をプレスフエルト製造工程のハードニングによって一体化させることによって形成された衣服であって、
前記フエルト材として縮充性を有する繊維からなる２枚のラップの間に芯材を介在させた補強フエルト材を使用し、前記該補強フエルト材を複数枚重ね、各補強フエルト材間の前記一体化される部分がプレスフエルト製造工程のハードニングによって一体化されていることを特徴としてなるフエルト製縫目無し衣服。
【請求項２】
芯材が細目網材である請求項１に記載のフエルト製縫目無し衣服。
【請求項３】
芯材が縮充性を有する天然繊維の織糸からなる布材である請求項１に記載のフエルト製縫目無し衣服。
【請求項４】
複数枚のフエルト材を重ね合わせ、該フエルト材間の衣服として互いに一体化される部分をプレスフエルト製造工程のハードニングによって一体化させることによって形成するフエルト製衣服の製造方法であって、
縮充性を有する繊維からなる第１、第２の両ラップ層間に芯材を介在させた補強フエルト用ラップを複数枚重ね合わせ、該補強フエルト用ラップ間の前記一体化される部分を除く位置に該補強フエルト用ラップ間を接触させない薄板状の分離用型材を介在させた状態で、全体をプレスフエルト製造工程のハードニングにより縮充させた後、前記分離用型材を除去することにより中空部を形成することを特徴としてなるフエルト製縫目無し衣服の製造方法。
【請求項５】
芯材が細目網材である請求項４に記載のフエルト製縫目無し衣服の製造方法。
【請求項６】
芯材が縮充性を有する天然繊維の織糸からなる布材である請求項４に記載のフエルト製縫目無し衣服の製造方法。
【発明の詳細な説明】
【０００１】
【発明の属する技術分野】
本発明は、フエルト製縫目無し衣服及びその製造方法に関する。
【０００２】
【従来の技術】
従来、衣服の製造は、布地を裁断し互いに縫い合わせて所望の形状に仕上げるようにしており、フエルトを使用した衣服にあっても同様に縫製による方法が一般的であった。
また、従来のプレスフエルトにおいては、繊維の縮充性を利用し、短繊維原料を交絡するだけで布状に成型されるため、縦横の引っ張り強度差が著しく、特に横方向の引っ張り強度が弱いために衣服には適さず、主としてクッション、パッキング、ピアノ消音、洋服襟芯等の用途にしか使用されていなかった。
【０００３】
【発明が解決しようとする課題】
本発明は、これら従来衣服の製造、及びフエルト用途の既成概念を払拭し、新たな形態の衣服が提供でき、しかもデザイン的にも独創性に富んだものが容易に得られるフエルト製縫目無し衣服及びその製造方法の提供を目的としてなされたものである。
【０００４】
【課題を解決するための手段】
上述の如き従来の問題を解決し、所期の目的を達成するための本発明に係るフエルト製縫目無し衣服の特徴は、複数枚のフエルト材を重ね合わせ、該フエルト材間の衣服として互いに一体化される部分をプレスフエルト製造工程のハードニングによって一体化させることによって形成された衣服であって、前記フエルト材として縮充性を有する繊維からなる２枚のラップの間に芯材を介在させた補強フエルト材を使用し、前記該補強フエルト材を複数枚重ね、各補強フエルト材間の前記一体化される部分がプレスフエルト製造工程のハードニングによって一体化されていることにある。
【０００５】
また本発明のフエルト製縫目無し衣服の製造方法の特徴は、複数枚のフエルト材を重ね合わせ、該フエルト材間の衣服として互いに一体化される部分をプレスフエルト製造工程のハードニングによって一体化させることによって形成するフエルト製衣服の製造方法であって、縮充性を有する繊維からなる第１、第２の両ラップ層間に芯材を介在させた補強フエルト用ラップを複数枚重ね合わせ、該補強フエルト用ラップ間の前記一体化される部分を除く位置に該補強フエルト用ラップ間を接触させない薄板状の分離用型材を介在させた状態で、全体をプレスフエルト製造工程のハードニングにより縮充させた後、前記分離用型材を除去することにより中空部を形成することにある。
【０００６】
尚、芯材が細目網材又は縮充性を有する天然繊維の織糸からなる布材であることが好ましく、細目網材としては一例としてチュールが使用できる。
【０００７】
【発明の実施の形態】
次に本発明の実施の形態を図面について説明する。
【０００８】
図１、図２は本発明に係るフエルト製縫目無し衣服の一例を示している。この衣服Ａは両肩部１，１及び両脇部２，２において背側部３及び腹側部４が一体化されている。この背側部３及び腹側部４はそれぞれ補強フエルト材５をもって構成されている。
【０００９】
補強フエルト材５は、図３に示すように、厚さ方向の中央にチュールからなる芯材６があり、その表裏に縮充性を有する繊維材をプレスフエルト製造工程のハードニングによって交絡させた第１フエルト層７ａ及び同様の第２フエルト層７ｂが一体化されている。各フエルト層７ａ，７ｂはチュールからなる芯材６を通して両者の繊維層がハードニングによって交絡し合い、全体としてチュールによって補強された１枚のフエルトを構成している。
【００１０】
また、この補強フエルト材５からなる背側部３と腹側部４との両肩部１，１及び両脇部２，２における一体化部分は、図４に示すように、背側部３の前記第１フエルト層７ａと腹側部４の前記第２フエルト層７ｂとが両者の繊維層がハードニングによって互いに絡み合うことによって一体化され、全体が１枚のフエルトとなり、内部に２枚のチュールからなる芯材６が埋設された構造となっている。
【００１１】
尚、ここに使用するチュールは、糸番手３０デニール前後のラッセルが望ましい。また、前記芯材６はチュール他その他の網材が使用でき、何れの場合も網目を通して第１、第２のフエルト層７ａ，７ｂが一体化される。
【００１２】
芯材６にはこの他、縮充性を有する天然繊維の織糸からなる布材を使用することができ、この場合には、布材の繊維と両フエルト層の短繊維がハードニングによって交絡することにより、全体が布材によって強化された補強フエルト材となる。
【００１３】
次ぎに、上述したフエルト製縫目無し衣服の製造方法について説明する。
【００１４】
図５に示すようにハードニング装置の下布１０の上面に前記背側部３の第２フエルト層７ｂを構成させるための第２のラップ層１１ｂを所望の厚さに置き、その上面全部を覆う大きさのチュールからなる芯材６を重ねる。さらにその上に前記背側部３の第１フエルト層７ａを構成させるための第１のラップ層１１ａを所望の厚さに置いて下側の補強フエルト用ラップａを構成させる。
【００１５】
次いでラップ層１１ａ上に型紙材を使用した薄板状の分離用型材１２を置く。この分離用型材は成形される衣服の中空部分を形成するものであり、図６に示すように前述した衣服の両肩部、両脇部の互いに一体化される部分が分離用型材１２の外側に残る大きさに予め前述したラップ層１１ａ，１１ｂ及び芯材６を敷設しておく。
【００１６】
分離用型材１２を置いた後、その上に前述したラップ層１１ａと同じ広さに腹側部４の第２フエルト層７ｂを構成させるための第２のラップ層１１ｂを所望の厚さに置く。その上にチュールからなる芯材６を置き、更にその上に腹側部４の第１フエルト層７ａを構成させるための第１のラップ層１１ａを所望の厚さに置いて上側の補強フエルト用ラップｂを構成させる。
【００１７】
このようにして多層状にラップ層、分離用型材、芯材を重ねた後、その上に上布１４を重ね、上下のハーダー盤間で揉んでハードニングする。これによって図６に示すように、分離用型材１２部分が表裏に分離されて全体が一体化されたフエルト１５が構成される。
【００１８】
次いでこれを図７に示すように周囲の余分な部分１６を切断することにより、図１、図２に示す縫目無し衣服となる。
【００１９】
また、ポケットも同時に無縫製で一体成形することができ、この場合には図８に示すように（前述の例と同一部分には同一符号を付して重複説明を省略する）ポケット用の分離用型材１２ａを例えば腹側部４の表面に置き、その上に前述と同様にラップ層１１ａ，１１ｂの間に芯材６を介在させたポケット用の補強フエルト用ラップｃを置いてハードニングし、図８に示すようにポケット１７を一体成形し、然る後前述と同様に余分な部分を切断し各分離用型材１２，１２ａを抜いてポケット付き衣服Ｂとする。
【００２０】
尚、上述した衣服の形状は一例を示したものであり、分離用型材の形状及びハードニング後の切断形状を適宜選定することによって、多様なデザインの縫目無し衣服を成形できる。
【００２１】
【発明の効果】
上述のように、本発明に係るフエルト製縫目無し衣服及びその製造方法は、羊毛等の縮充性を有する繊維からなる２枚のラップ層の間に芯材を介在させた補強フエルト材を使用することにより、特に従来のフエルトでは縦横の引張強度差が小さくなるとともに全体の強度が高くなって薄手の生地であっても容易に破れることがなく、フエルトの用途が衣服に拡大されることとなり、また、複数枚重ねた各補強フエルト材間の適宜個所をハードニングによって互いに一体化させることにより、生地の成形と同時に衣服の原型ができることとなり、従来の縫製による衣服では得られないデザイン的特異性が得られ、更に使用するラップ層の原料や色彩及び使用量を変化させることにより、従来にないデザイン性の豊かな衣服がえられる。
【図面の簡単な説明】
【図１】本発明に係るフエルト製縫目無し衣服の一例を示す平面図である。
【図２】図１中のＡ−Ａ線断面図である。
【図３】本発明の衣服を構成している補強フエルト材の部分拡大断面図である。
【図４】同上の一体化部分を示す部分拡大断面図である。
【図５】本発明方法の第１実施例におけるハードニング前の状態を示す断面図である。
【図６】同上のラップ及び型材の配置を示す平面図である。
【図７】同上のハードニング後の切断状態を示す平面図である。
【図８】本発明方法の第２実施例におけるハードニング前の状態を示す断面図である。
【図９】同上のハードニング後の切断状態を示す平面図である。
【符号の説明】
Ａ，Ｂ 縫目無し衣服
ａ，ｂ 補強フエルト用ラップ
１ 肩部
２ 脇部
３ 背側部
４ 腹側部
５ 補強フエルト材
６ 芯材
７ａ 第１フエルト層
７ｂ 第２フエルト層
１０ 下布
１１ａ 第１ラップ層
１１ｂ 第２ラップ層
１２，１２ａ 分離用型材
１４ 上布
１５ フエルト
１６ 余分な部分
１７ ポケット
【図１】
0003855187.tif 000002
【図２】
0003855187.tif 000003
【図３】
0003855187.tif 000004
【図４】
0003855187.tif 000005
【図５】
0003855187.tif 000006
【図６】
0003855187.tif 000007
【図７】
0003855187.tif 000008
【図８】
0003855187.tif 000009
【図９】
0003855187.tif 000010